【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
ユーザーインターフェースの表示を管理する方法であって、
第１のユーザーインターフェースをユーザーに表示するステップと、
前記表示されているユーザーインターフェースを第２のユーザーインターフェースに変更する要求を前記ユーザーから受信するステップと、
前記ユーザーから前記変更する要求が受信される回数のカウントを保持するステップと、
前記カウントが所定の数に等しい場合、前記第２のユーザーインターフェースを表示すべきデフォルトユーザーインターフェースとして設定するオプションを前記ユーザーに提供するステップと
を含むことを特徴とする方法。
【請求項２】
前記第２のユーザーインターフェースを前記デフォルトユーザーインターフェースとして設定する前記オプションの選択を受信した場合、前記第２のユーザーインターフェースを前記デフォルトユーザーインターフェースとして設定するステップをさらに含むことを特徴とする請求項１に記載の方法。
【請求項３】
前記第２のユーザーインターフェースを前記デフォルトユーザーインターフェースとして設定した時点で、前記カウントをゼロに設定するステップをさらに含むことを特徴とする請求項２に記載の方法。
【請求項４】
前記第２のユーザーインターフェースを前記デフォルトユーザーインターフェースとして設定する前記オプションの選択を受信しない場合、前記カウントをゼロに設定するステップをさらに含むことを特徴とする請求項１に記載の方法。
【請求項５】
前記第２のユーザーインターフェースを表示するステップと、
前記表示されているユーザーインターフェースを第１のユーザーインターフェースに変更するオプションを提供するステップと
をさらに含むことを特徴とする請求項１に記載の方法。
【請求項６】
前記表示されているユーザーインターフェースを第１のユーザーインターフェースに変更する要求を前記ユーザーから受信するステップと、
前記表示されているユーザーインターフェースを第１のユーザーインターフェースに変更する前記要求が受信される回数のカウントを保持するステップと
をさらに含むことを特徴とする請求項５に記載の方法。
【請求項７】
前記表示されているユーザーインターフェースを第１のユーザーインターフェースに変更する前記要求の回数のカウントが前記所定の数と等しい場合、前記第１のユーザーインターフェースを前記デフォルトユーザーインターフェースとして設定するオプションを提供するステップをさらに含むことを特徴とする請求項６に記載の方法。
【請求項８】
前記表示されているユーザーインターフェースを前記第２のユーザーインターフェースに変更するオプションを提供するステップをさらに含むことを特徴とする請求項１に記載の方法。
【請求項９】
前記第１のユーザーインターフェースは、ユーザーインターフェースの第１のクラスに分類され、前記第２のユーザーインターフェースは、ユーザーインターフェースの第２のクラスに分類され、前記第２のユーザーインターフェースを前記デフォルトユーザーインターフェースとして設定する前記オプションの選択により、コンピューティングシステムのデフォルトユーザーインターフェースは前記ユーザーインターフェースの第２のクラスに変更されることを特徴とする請求項１に記載の方法。
【請求項１０】
ユーザーインターフェースの表示を管理する方法であって、
第１のユーザーインターフェースおよび第２のユーザーインターフェースの１つを表示すべきデフォルトユーザーインターフェースとして選択するオプションをユーザーに提供するステップと、
表示すべきユーザーインターフェースの変更が要求される回数のカウントを保持するオプションを前記ユーザーに提供するステップと
を含むことを特徴とする方法。
【請求項１１】
前記カウントを用いて表示すべき前記デフォルトユーザーインターフェースを変更することを特徴とする請求項１０に記載の方法。
【請求項１２】
前記カウントが所定の数と等しい場合、表示すべき前記デフォルトユーザーインターフェースを変更するオプションを前記ユーザーに提供するステップをさらに含むことを特徴とする請求項１０に記載の方法。
【請求項１３】
コンピューター実行可能な命令を格納しているコンピューター読み取り可能な記録媒体であって、コンピューターによって実行されるとき、前記コンピューター実行可能な命令は、前記コンピューターに、
ユーザーインターフェースの第１のクラスに分類される第１のユーザーインターフェースをユーザーに表示させ、
前記表示されているユーザーインターフェースを、ユーザーインターフェースの第２のクラスに分類される第２のユーザーインターフェースに変更するオプションを前記ユーザーに対して表示させ、
前記表示されているユーザーインターフェースを前記第２のユーザーインターフェースに変更する前記オプションの前記ユーザーからの選択を受信させ、
前記表示されているユーザーインターフェースを前記第２のユーザーインターフェースに変更する前記オプションの前記選択を受信することに応じて、前記第２のユーザーインターフェースを前記ユーザーに対して表示させ、
前記表示されているユーザーインターフェースを前記第２のユーザーインターフェースに変更する前記オプションが前記ユーザーによって選択される回数のカウントを保持させ、
前記カウントが所定の数と等しい場合、前記第２のユーザーインターフェースをデフォルトユーザーインターフェースとして設定するオプションを前記ユーザーに対して表示させ、および
前記第２のユーザーインターフェースを前記デフォルトユーザーインターフェースとして設定する前記オプションの選択を受信した場合、前記第２のユーザーインターフェースを前記デフォルトユーザーインターフェースとして設定させ、前記第２のユーザーインターフェースを前記デフォルトユーザーインターフェースとして設定する前記オプションの選択により、コンピューティングシステムのデフォルトユーザーインターフェースは前記ユーザーインターフェースの第２のクラスに変更される
ことを特徴とするコンピューター読み取り可能な記録媒体。
【請求項１４】
コンピューターによって実行されるとき、前記コンピューターに、前記表示されているユーザーインターフェースを前記第１のユーザーインターフェースに変更するオプションを、前記第２のユーザーインターフェースにおいて前記ユーザーに対して提供させるコンピューター実行可能な命令をさらに含むことを特徴とする請求項１３に記載のコンピューター読み取り可能な記録媒体。
【請求項１５】
コンピューターによって実行されるとき、前記コンピューターに、前記表示されているユーザーインターフェースを前記第１のユーザーインターフェースに変更する前記オプションが前記ユーザーによって選択される回数のカウントを保持させるコンピューター実行可能な命令をさらに含むことを特徴とする請求項１４に記載のコンピューター読み取り可能な記録媒体。
【請求項１６】
コンピューターによって実行されるとき、前記コンピューターに、前記表示されているユーザーインターフェースを前記第１のユーザーインターフェースに変更する前記オプションの回数の前記カウントが前記所定の数と等しい場合、前記第１のユーザーインターフェースを前記デフォルトユーザーインターフェースとして設定するオプションを前記ユーザーに対して表示させるコンピューター実行可能な命令をさらに含むことを特徴とする請求項１５に記載のコンピューター読み取り可能な記録媒体。
【請求項１７】
コンピューターによって実行されるとき、前記コンピューターに、前記第２のユーザーインターフェースを前記デフォルトユーザーインターフェースとして設定する前記オプションの前記ユーザーからの選択を受信しない場合、前記カウントをゼロに設定させるコンピューター実行可能な命令をさらに含むことを特徴とする請求項１３に記載のコンピューター読み取り可能な記録媒体。
【請求項１８】
前記第２のユーザーインターフェースは、前記第１のユーザーインターフェースよりも多い情報を含むことを特徴とする請求項１３に記載のコンピューター読み取り可能な記録媒体。